(57)【要約】      （修正有）【課題】定着装置に滞留した転写材の除去作業を容易にする。【解決手段】加熱体１７と、ベルト１８とを有する加熱手段と、加熱手段とニップを形成し、転写材を搬送するローラ２０と、加熱手段を前記ローラに加圧する加圧部材と、加圧部材を保持し、助勢する加圧保持部材２６と、加圧保持部材に当接して、加圧保持部材の位置を加圧解除位置と加圧位置とに移動せしめるカム部材２８と、前記ローラにより搬送された転写材を装置外に搬送、排出する排出ローラ２１と、排出ローラとニップを形成する従動回転体２９を保持するガイド部材６０とを有する定着装置および画像形成装置において、前記ガイド部材は回転支点を有し、回転揺動方向の位置決めは、前記カム部材が加圧位置で該ガイド部材の回転揺動方向に位置決めされ、前記カム部材が加圧解除位置でガイド部材の回転揺動方向の位置決めを解除し、回動可能にする。【選択図】図２
2008275884.tif 000002
【特許請求の範囲】
【請求項１】
加熱体と、前記加熱体を固定保持する加熱体保持部材と、前記加熱体と前記過熱保持部材と摺動するベルトとを有する加熱手段と、前記過熱手段とニップを形成し、転写材を搬送するローラと、前記加熱手段を前記ローラに加圧する加圧部材と、前記加圧部材を保持し、助勢する加圧保持部材と、前記加圧保持部材に当接して、該加圧保持部材の位置を加圧解除位置と加圧位置とに移動せしめるカム部材と、前記ローラにより搬送された前記転写材を装置外に搬送、排出する排出ローラと、前記排出ローラとニップを形成する従動回転体を保持するガイド部材とを有する定着装置および画像形成装置において、
前記ガイド部材は回転支点を有し、回転揺動方向の位置決めは、前記カム部材が加圧位置で該ガイド部材の回転揺動方向に位置決めされ、前記カム部材が加圧解除位置でガイド部材の回転揺動方向の位置決めを解除し、回動可能にすることを特徴とする定着装置。
【請求項２】
請求項１の定着装置において、前記ガイド部材は回転支点を有し、回転揺動方向の位置決めは、前記カム部材が加圧位置で該ガイド部材の回転揺動方向に位置決めされ、前記カム部材が加圧解除位置まで移動することに連動して、該カム部材が該ガイド部材の回転陽動方向の位置決めを解除して、該ガイド部材を所定の位置まで回転揺動させることを特徴とする定着装置。
【請求項３】
請求項１乃至２に記載の定着装置を備えた画像形成装置。
【発明の詳細な説明】
【技術分野】
【０００１】
本発明は複写機、レーザービームプリンター、ファクシミリ等の画像形成装置に用いられるトナー画像定着装置に関する。
【０００２】
さらに詳しくは、電子写真、静電記録、磁気記録等の適時の画像形成プロセス手段により、加熱溶融性の樹脂等よりなるトナーを用いて、転写材（紙、印刷紙、転写材シート、ＯＨＴシート、光沢紙、光沢フィルム等）の面に直接転写もしくは間接転写方式で目的の画像情報に対応した未定着トナー画像を形成担持させ、該未定着トナー画像を、該画像を担持している転写材面上に永久固着画像として加熱定着処理する方式の定着装置に関するものである。
【背景技術】
【０００３】
図４はカラー画像形成装置であるレーザプリンタの装置本体１００の断面図である。
【０００４】
記録紙積載手段としての給紙カセット４０の中板４１上に積載された記録紙Ｐは給紙ローラ４２によって、一枚ずつ分離され、中間搬送ローラ対４３、レジストローラ対４４を通り、二次転写部Ｔ2へと給送される。
【０００５】
カラー画像作像系ではレーザ露光により潜像を複数の色成分に対応した像担持体４５上に形成され、該潜像は現像手段により現像材すなわちトナ−により各々の像担持体４５上に各色成分像が現像され、各色像担持体に形成された複数の色成分像に対応するトナー画像が、像担持体と一次転写対向ローラ４６に挟まれた一次転写部Ｔ１で順次重畳転写され、中間転写ベルト４７上に目的のフルカラー画像が形成される。この中間転写ベルト４７上のフルカラー画像を二次転写ローラ４８と二次転写対向ローラ４９とが構成する２次転写部Ｔ２で記録材としての記録紙Ｐに一括転写し、未定着フルカラー画像を得る。
【０００６】
未定着画像転写記録紙は定着装置５０に導入され、加熱定着される。その後記録紙Ｐは複数の排紙ローラ対５１、５２、５３により排紙トレイ５４に排紙される。
【０００７】
従来例としては、例えば特許文献１と特許文献２をあげることが出来る。
【特許文献１】特開平02-176689号公報
【特許文献２】特開2003-337491号公報
【発明の開示】
【発明が解決しようとする課題】
【０００８】
近年、プリンタや複写機等の画像形成装置では、性能、価格以外にもユーザの操作性向上が重点課題となっている。特に消耗品の交換やジャム処理時の操作は様々なユーザが直感的に判るデザインや手順にしている。しかし、デザインが付けられない個所や操作手順が多く、順序を要する場合、ユーザが判断に迷い、画像形成装置の復帰に多くの時間を要してしまう。
【課題を解決するための手段】
【０００９】
本明細請求項１に記載の発明により、加熱体と、前記加熱体を固定保持する加熱体保持部材と、前記加熱体と前記過熱保持部材と摺動するベルトとを有する加熱手段と、前記過熱手段とニップを形成し、転写材を搬送するローラと、前記加熱手段を前記ローラに加圧する加圧部材と、前記加圧部材を保持し、助勢する加圧保持部材と、前記加圧保持部材に当接して、該加圧保持部材の位置を加圧解除位置と加圧位置とに移動せしめるカム部材と、前記ローラにより搬送された前記転写材を装置外に搬送、排出する排出ローラと、前記排出ローラとニップを形成する従動回転体を保持するガイド部材とを有する定着装置および画像形成装置において、
前記ガイド部材は回転支点を有し、回転揺動方向の位置決めは、前記カム部材が加圧位置で該ガイド部材の回転揺動方向に位置決めされ、前記カム部材が加圧解除位置でガイド部材の回転揺動方向の位置決めを解除し、回動可能にすることで、定着装置に滞留した転写材の除去作業を容易にしたことを特徴とする定着装置および画像形成装置を提供することができる。
【００１０】
また、本明細請求項２に記載の発明は、請求項１の定着装置において、前記ガイド部材は回転支点を有し、回転揺動方向の位置決めは、前記圧解除カム部材が加圧を邪魔しない退避位置で該ガイド部材の回転揺動方向に位置決めされ、前記圧解除カム部材が加圧を解除させる位置で、該圧解除カム部材が該ガイド部材を回転揺動させることで、定着装置に滞留した転写材の発見と除去作業を直感的に判り易くしたことを特徴とする定着装置および画像形成装置を提供することができる。
【発明の効果】
【００１１】
以上説明したように、本発明によれば、本明細請求項１に記載の発明により、加熱体と、前記加熱体を固定保持する加熱体保持部材と、前記加熱体と前記過熱保持部材と摺動するベルトとを有する加熱手段と、前記過熱手段とニップを形成し、転写材を搬送するローラと、前記加熱手段を前記ローラに加圧する加圧部材と、前記加圧部材を保持し、助勢する加圧保持部材と、前記加圧保持部材に当接して、該加圧保持部材の位置を加圧解除位置と加圧位置とに移動せしめるカム部材と、前記ローラにより搬送された前記転写材を装置外に搬送、排出する排出ローラと、前記排出ローラとニップを形成する従動回転体を保持するガイド部材とを有する定着装置および画像形成装置において、前記ガイド部材は回転支点を有し、回転揺動方向の位置決めは、前記カム部材が加圧位置で該ガイド部材の回転揺動方向に位置決めされ、前記カム部材が加圧解除位置でガイド部材の回転揺動方向の位置決めを解除し、回動可能にすることで、定着装置に滞留した転写材の除去作業を容易にしたことを特徴とする定着装置および画像形成装置を提供することができた。
【００１２】
また、本明細請求項２に記載の発明は、請求項１の定着装置において、前記ガイド部材は回転支点を有し、回転揺動方向の位置決めは、前記圧解除カム部材が加圧を邪魔しない退避位置で、該ガイド部材の回転揺動方向に位置決めされ、前記圧解除カム部材が加圧を解除させる位置で、該圧解除カム部材が該ガイド部材を回転揺動させることで、定着装置に滞留した転写材の発見と除去作業を容易にしたことを特徴とする定着装置および画像形成装置を提供することができた。
【発明を実施するための最良の形態】
【００１３】
以下、本発明の実施の形態を説明する。
【００１４】
（第１の実施例）
図１に、本発明の実施例であるカラー画像形成装置の概略構成図を示す。
【００１５】
本発明のカラー画像形成装置においては、像担持体たる感光ドラム（１Y、１C、１M、１K）、帯電手段たる帯電ローラ（２Y、２C、２M、２K）、静電潜像を顕像化するための現像手段（３Y、３C、３M、３K）、感光体ドラムのクリーニング手段（４Y、４C、４M、４K）等をひとつの容器にまとめた、いわゆるオールインワンカートリッジを使用している。
【００１６】
イエロー（Ｙ）トナーを現像器に充填したイエローカートリッジ,混ぜん他（Ｍ）トナーを現像器に充填したマゼンタカートリッジ、シアン（Ｃ）トナーを現像器に充填したシアンカートリッジ、そしてブラック（Ｋ）トナーを現像器に充填したブラックカートリッジの４つのカートリッジを使用している。
【００１７】
本実施例の画像形成装置においては、感光体ドラム（１Y、１C、１M、１K）に露光を行うことにより静電潜像を形成する光学系（５Y、５C、５M、５K）が、上記４色のトナーカートリッジに対応して設けられている。光学系としては、レーザー走査露光光学系を用いている。
【００１８】
光学系（５Ｙ,５Ｃ,５メガ,５キロ）より,画像データに基づいた操作光が,帯電手段（２Ｙ,２C、２M、２K）により一様に帯電された感光体ドラム（１Y、１C、１M、１K）上を露光することにより、感光体ドラム（１Y、１C、１M、１K）表面に画像に対応する静電潜像が形成される。不図示のバイアス電源より現像ローラ（３Y、３C、３M、３K）に印加される現像バイアスを、帯電電位と潜像（露後部）電位の間の適切な値に設定することで、負の極性に帯電されたトナーが、感光体ドラム（１Y、１C、１M、１K）上の静電潜像に選択的に付着されることにより、現像が行われる。
【００１９】
感光体ドラム（１Y、１C、１M、１K）上に現像された単色トナー画像は、該感光体ドラム（１Y、１C、１M、１K）と同期して、略等速で回転する中間転写体上へ転写される。本実施例においては、中間転写体として、中間転写ベルト６を用いており、駆動ローラ７によって駆動され、テンションローラ８によって張架されている。中間転写ベルト６へ感光体ドラム（１Y、１C、１M、１K）上のトナー像を転写する、一次転写手段としては、一次転写ローラ（９Y、９C、９M、９K）を用いている。一次転写ローラ（９Y、９C、９M、９K）に対して、不図示のバイアス電源より、トナーと逆極性の一次転写バイアスを印加することにより、中間転写ベルト６に対して、トナー像が一次転写される。
【００２０】
一次転写後、感光体（１Y、１C、１M、１K）上に転写残として残ったトナーは、クリーニング手段（４Y、４C、４M、４K）により除去される。本実施例においては、クリーニング手段として、ウレタンブレードによるブレードクリーニングを用いている。
【００２１】
上記工程を中間転写ベルト６の回転に同調して、イエロー、マゼンタ、シアン、ブラックの各色に対して行い、中間転写ベルト６上に、各色の一次転写トナー画像を順次重ねて形成していく。単色のみの画像形成（単色モード）時には、上記工程は、目的の色についてのみ行われる。
【００２２】
また、記録紙供給部となる記録紙カセット１０にセットされた記録紙Pは、給送ローラ１１により給送され、二次転写部に所定のタイミングで、レジストローラ１２により、中間転写ベルト６と二次転写手段とのニップ部に搬送される。
【００２３】
中間点しゃべると６上に形成された一時転写トナー像は,に自転車手段たるに自転車ローら１３に、不図示のバイアス印加手段より印加される、トナーと逆極性のバイアスにより、記録紙P上に一括転写される。また、１４は、二次転写ローラ対向ローラである。
【００２４】
二次転写後中間転写ベルト６上に残った二次転写残トナーは、中間転写ベルトクリーニング手段１５により除去される。本実施例においては、感光体ドラムのクリーニング手段と同様、ウレタンブレードによる中間転写体クリーニングを行っている。
【００２５】
記録紙P上に二次転写されたトナー画像は、転写定着間搬送路１６を通り、定着装置Fに導かれ加熱加圧定着される。
【００２６】
図５は定着装置Fの断面図である。定着装置Fは画像印字面側の加熱手段Hは加熱体１７、前記加熱体１７を保持するためのホルダー部材１９、ヒータ及びホルダー部材を全周に渡り包みこんだエンドレスの耐熱フィルム１８から成り、加熱手段Hは加圧保持部材２６により対向側の加圧ローラ２０へ所定の圧で押し付けてニップを形成している。未定着画像記録紙は印字面側を加熱手段Hで、非印字面側を加圧ローラ２０で、加熱および加圧されることにより、トナー像を溶融して、記録紙上に固着され、定着装置内の排出ローラ２１および排紙搬送ローラ２２、２３、２４で搬送されて排紙トレイ２５に排出される。
【００２７】
上記装置において、定着装置F内に滞留した記録紙がある場合、定着装置Fから記録紙を除去しなければならない。定着装置内の記録紙を除去する場合には加熱手段Hがダメージを受けないよう加圧を解除して負荷を減らす必要がある。図６は定着装置Fの加圧した図である。また図７、８は定着装置Fの加圧を解除した図である。加熱手段Hは加圧保持部材２６がカム部材２８により加圧位置から加圧解除位置まで移動することでニップを解除する位置まで押し上げられる。このとき、図７に示すように、ガイド部材２７はカム部材２８の移動により、カム部材２８のガイド部材２７を位置決めするカム形状３０が回転し、位置決めを解除されることで、ガイド部材２７は回動可能になる。ガイド部材は位置決めを解除されることで、ガイド部材２７の保持する従動回転体２９を排出ローラ２１に押し付けるためのバネ部材（不図示）のバネ力により、ガイド部材２７は自ら若干回動する。ユーザはガイド部材２７が陽動したことを確認でき、このガイド部材２７が回動可能であることを認識できる。
【００２８】
このことにより、ユーザはガイド部材２７を回動し、定着装置Ｆ内に滞留した記録紙を確認して、回動したガイド部材２７の隙間から記録紙の除去作業を行うことが可能となる。
【００２９】
（第２の実施例）
本実施例においても、構成図は図１と同じである。
【００３０】
図２は定着装置Fの断面図である。定着装置Fは画像印字面側の加熱手段Hは加熱体１７、前記加熱体１７を保持するためのホルダー部材１９、ヒータ及びホルダー部材を全周に渡り包みこんだエンドレスの耐熱フィルム１８から成り、加熱手段Hは加圧保持部材２６により対向側の加圧ローラ２０へ所定の圧で押し付けてニップを形成している。未定着画像記録紙は印字面側を加熱手段Hで、非印字面側を加圧ローラ２０で、加熱および加圧されることにより、トナー像を溶融して、記録紙上に固着され、定着装置内の排出ローラ２１および排紙搬送ローラ２２、２３、２４で搬送されて排紙トレイ２５に排出される。
【００３１】
上記画像形成装置において、定着装置F内に滞留した記録紙がある場合、定着装置Fから記録紙を除去しなければならない。しかし、画像形成装置に装着された定着装置Fは通電可能な状態である。この状態で定着装置内にユーザの手などが入れば、感電の危険がある。
【００３２】
図３は定着装置Fが画像形成装置に装着された状態で、加圧を解除した図である。定着装置Ｆ内の記録紙を除去する場合には加熱手段Hがダメージを受けないよう加圧を解除して負荷を減らす必要がある。しかし、画像形成装置内に装着された定着装置Ｆ内部は感電の危険があり、とくに加熱手段Hには接触できないようにしなくてはならない。ガイド部材６０はカム部材６１の移動により、カム形状６２の位置決めは解除されるものの、画像形成装置内の部材６４で回動方向に規制を設けることで、ガイド部材位置決めボス６０Aはカム形状６３の凸形状を乗り越えることが出来ず、回動出来ない状態となる。この状態で、ユーザは定着装置および画像形成装置内で滞留した記録紙を安全に除去できる。しかし、この状態で定着装置F内部に完全に入り込んでしまった記録紙までは除去できない。
【００３３】
図９、図１０は画像形成装置から定着装置Fを取り出したときに加圧を解除した図である。加熱手段Hは加圧保持部材２６がカム部材６１が加圧位置から加圧解除位置まで移動することでニップを解除する位置まで押し上げられる。このとき、図１０に示すように、ガイド部材６０はカム部材の移動により位置決めを解除され、カム部材６１のカム形状６３を乗り越えた状態となって回動可能になる。ガイド部材６０は保持された回転従動体２９を排出ローラ２１に押し付けていたバネ（不図示）によりガイド部材６０は押し上げられ、カム部材のカム形状６３の凸形状を乗り越えて、ガイド部材６０を回動させる。ユーザはこの回動したガイド部材６０の隙間から定着装置内に滞留した記録紙を確認して、回動したガイド部材の隙間から記録紙の除去作業を行うことが可能となる。
【図面の簡単な説明】
【００３４】
【図１】本発明の第一および第二の実施例における画像形装置の断面図。
【図２】本発明の実施例２における定着装置の断面図。
【図３】本発明の実施例２における定着装置Fが画像形成装置に装着された状態で、加圧を解除した図。
【図４】従来の画像形成装置の断面図。
【図５】本発明の実施例１における定着装置の断面図。
【図６】本発明の実施例１における定着装置Fの加圧した図。
【図７】本発明の実施例１における定着装置Fの加圧を解除した図。
【図８】本発明の実施例１における定着装置Fの加圧を解除した図。
【図９】本発明の実施例２における画像形成装置から定着装置Fを取り出したときに加圧を解除した図。
【図１０】本発明の実施例２における画像形成装置から定着装置Fを取り出したときに加圧を解除した図。
【符号の説明】
【００３５】
１６  定着ヒータ
１７  ヒーターホルダ
１８  メインサーミスタ
１９  サブサーミスタ
２０  定着ベルト
２１  排出ローラ
２２  加圧ローラ
２６  加圧保持部材
２７  ガイド部材
２８  カム部材
２９  従動回転体
【図１】
2008275884.tif 000003
【図２】
2008275884.tif 000004
【図３】
2008275884.tif 000005
【図４】
2008275884.tif 000006
【図５】
2008275884.tif 000007
【図６】
2008275884.tif 000008
【図７】
2008275884.tif 000009
【図８】
2008275884.tif 000010
【図９】
2008275884.tif 000011
【図１０】
2008275884.tif 000012